(57)【特許請求の範囲】
【請求項１】
油圧装置およびチップ処理装置が後面側に配置されている工作機械の前面側に配置され、かつ前記工作機械の駆動装置を制御する電気機器を備えた制御盤と、前記制御盤の中に形成された冷却空気の通風ダクトと、前記通風ダクト内に突出して配置された前記電気機器の発熱部材と、前記通風ダクト内に設けられた冷却ファンとを備えた工作機械用制御盤のダクト通風冷却装置において、
前記通風ダクトは、吸気口と排気口を前記制御盤の前面側に設けてあり、かつ、前記制御盤の底板と下部水平仕切り板との間に形成された下部ダクトと、前記制御盤の天井板と上部水平仕切り板との間に形成された上部ダクトと、前記制御盤の背面板と垂直仕切り板との間に形成された垂直ダクトからなり、さらに下部ダクト５３と上部ダクト５４と垂直ダクト５５とは連通して、制御盤３の中にコの字状に形成され、前記吸気口および前記排気口はそれぞれ下部ダクトおよび上部ダクトに開口されていることを特徴とする工作機械用制御盤のダクト通風冷却装置。
【発明の詳細な説明】
【０００１】
【発明の属する技術分野】
本発明は、ＮＣ工作機械の主軸の回転、刃物送りなどの制御を行う制御盤に関し、とくにその制御盤のダクト通風冷却装置に関する。
【０００２】
【従来の技術】
従来、ＮＣ工作機械は、例えば図３および図４に示すように、工作機械１の前面中央部にワークや刃物を取付け取外しする作業口を開閉するトータルガード１１が設けられており、その右側には工作機械１の側面に架台１２が固定され、架台１２の上に主軸の回転、刃物送りなどの工作機械１の駆動装置の制御を行うインバータなどの電気機器２を備えた制御盤３が設置されている。トータルガード１１の左側には操作パネル４が取付けられ、制御盤３に所望の指令を入力できるようにしてある。工作機械１の後面側には、オイルクーラ１３、油圧ユニット１４などの油圧装置と、チップコンベア１５、チップバケット１６、クーラントタンク１７などのチップ処理装置が設置されている。また、ツールマガジン１８やマガジンコントロールユニット１９が工作機械１の後面側に配置されている。
制御盤３は、点検を容易にするために前面に開く扉３１が設けられ、中央部には垂直仕切り板３２が設けられ、扉３１との間に防塵部３３を形成してある。扉３１には熱交換器を設けることもある。垂直仕切り板３２の前面側にはインバータ２１、サーボアンプ２２などの電気機器２を取付けてある。垂直仕切り板３２と背面板３４との間には、上下に通じる通風ダクト５が形成され、インバータ２１、サーボアンプ２２の後面にそれぞれ設けたヒートシンク２１Ａ，２２Ａなどの発熱部材が垂直仕切り板３２から通風ダクト５の中に突出するように設けられている。なお、回生抵抗などの発熱部材を通風ダクト５の中に取付けることもある。
背面板３４の下部には吸気口５１が、上部には排気口５２が設けられ、通風ダクト５の上部には冷却ファン６が設けられて、吸気口５１から冷却空気を吸入し、ヒートシンク２１Ａ，２２Ａを冷却して、排気口５２から温度が上がった冷却空気を排出するようにしてある。
【０００３】
【発明が解決しようとする課題】
ところが、上記従来技術では、工作機械１の後面側には、オイルクーラ１３、油圧ユニット１４などの油圧装置や、チップコンベア１５、チップバケット１６などのチップ処理装置など、潤滑油や切削油を処理する機器が多く設置されているため、これらの機器から漏れた潤滑油や切削油のオイルミストが発生することがある。
その結果、工作機械１の後面側の空気にはオイルミストを多く含み、その空気に混じってオイルミストが制御盤３の吸気口５１から通風ダクト５の中に入り込み、ヒートシンク２１Ａ，２２Ａや冷却ファン６に付着して、ヒートシンク２１Ａ，２２Ａや冷却ファン６の冷却能力を低下させるという問題があった。
また、通風ダクト６の中に入り込んだオイルミストは、垂直仕切り板３２の制御盤３への取付け部やインバータ２１、サーボアンプ２２の取付け部の隙間などから防塵部３３の中に侵入して、防塵部３の中の電気機器２を汚染するという問題があった。
さらに、冷却空気にオイルミストが含まれると、排気口５２から排出された冷却空気が周囲にオイルミストをまき散らすため、工作機械１の後面の周囲に設けられているツールマガジン１８やマガジンコントロールユニット１９まで、オイルミストで汚染し、工作機械１の加工精度に悪影響を与えるという問題があった。
本発明は、冷却空気の中にオイルミストが入り込まないようにして、オイルミストの汚染や冷却能力の低下が発生しない工作機械用制御盤のダクト通風冷却装置を提供することを目的とするものである。
【０００４】
【課題を解決するための手段】
上記課題を解決するため、本発明は、油圧装置およびチップ処理装置が後面側に配置されている工作機械の前面側に配置され、かつ前記工作機械の駆動装置を制御する電気機器を備えた制御盤と、前記制御盤の中に形成された冷却空気の通風ダクトと、前記通風ダクト内に突出して配置された前記電気機器の発熱部材と、前記通風ダクト内に設けられた冷却ファンとを備えた工作機械用制御盤のダクト通風冷却装置において、前記通風ダクトは、吸気口と排気口を前記制御盤の前面側に設けてあり、かつ、前記制御盤の底板と下部水平仕切り板との間に形成された下部ダクトと、前記制御盤の天井板と上部水平仕切り板との間に形成された上部ダクトと、前記制御盤の背面板と垂直仕切り板との間に形成された垂直ダクトからなり、さらに下部ダクト５３と上部ダクト５４と垂直ダクト５５とは連通して、制御盤３の中にコの字状に形成され、前記吸気口および前記排気口はそれぞれ下部ダクトおよび上部ダクトに開口されていることを特徴とするものである。
【０００５】
【発明の実施の形態】
以下、本発明を図に示す実施例について説明する。
図１は本発明の実施例を示す側断面図、図２はその正面図である。
なお、工作機械１の前面中央部にトータルガード１１が設けられており、その右側には工作機械１の側面に架台１２が固定され、トータルガード１１の左側には操作パネル３が取りつけられ、工作機械１の後面側には、オイルクーラ１３、油圧ユニット１４、チップコンベア１５、チップバケット１６、クーラントタンク１７、ツールマガジン１８、マガジンコントロールユニット１９などが設置されている構成は従来例とほぼ同じ構成である。
図において、３は架台１２の上に設置された制御盤、３１は制御盤３の前面を開閉する扉、３２は制御盤３の中央部に設けてある垂直仕切り板、３３は垂直仕切り板３２と扉３１との間に形成された防塵部である。３４は制御盤３の背面板、３５は制御盤３の底板、３６は底板３５に対して間隔を開けて前面から中央部まで平行に伸びる下部水平仕切り板である。３７は制御盤４の天井板、３８は天井板３７に対して間隔を開けて前面から中央部まで平行に伸びる上部水平仕切り板である。
なお、垂直仕切り板３２は、一方端が上部水平仕切り板３８の端部に、他方端が下部水平仕切り板３６の端部に固定されている。
５は通風ダクトで、底板３５と下部水平仕切り板３６との間に形成された下部ダクト５３と、天井板３７と上部水平仕切り板３８との間に形成された上部ダクト５４と、背面板３４と垂直仕切り板３２との間に形成された垂直ダクト５５とからなり、下部ダクト５３と上部ダクト５４と垂直ダクト５５とは連通して、制御盤３の中にコの字状に形成されている。下部ダクト５３の前面側には吸気口５１が開口し、上部ダクト５４の前面側には排気口５２が開口している。５６は吸気口５１に設けられたフィルタである。
また、扉３１は、下部水平仕切り板３６と上部水平仕切り板３８との間に取付けられている。６は垂直ダクト５５の上部に取付けられている冷却ファンである。
垂直仕切り板３２の前面側にはインバータ２１、サーボアンプ２２などの電気機器２を取付けてある。インバータ２１、サーボアンプ２２の後面にそれぞれ設けたヒートシンク２１Ａ，２２Ａなどの発熱部材は、垂直仕切り板３２から垂直ダクト５５の中に突出するように設けられている。
【０００６】
このような構成により、冷却ファン６を回転すると、冷却空気は吸気口５１から下部ダクト５３に吸入され、垂直ダクト５５を通り、ヒートシンク２１Ａ，２２Ａなどの発熱部材を冷却して上部ダクト５４を通り、排気口５２から制御盤３の前面側に排出される。
したがって、工作機械１の後面側に配置されているオイルクーラ１３、油圧ユニット１４、チップコンベア１５、チップバケット１６、クーラントタンク１７などから発生するオイルミストは、制御盤３の前面側の吸気口５１から入る冷却空気に直接混入することがなく、通風ダクト５内や冷却ファン６などにオイルミストが付着したり、制御盤３の中の電気機器２がオイルミストによって汚染されることがなくなる。
【０００７】
【発明の効果】
以上述べたように、本発明によれば、制御盤の中に吸気口と排気口を制御盤の前面側に設けた通風ダクトを備えて、工作機械の後面側に発生するオイルミストの影響を受けないようにしてあるので、制御盤の中に設けた通風ダクト内や冷却ファンなどにオイルミストが付着したり、制御盤の中の電気機器がオイルミストによって汚染されることがなくなる。したがって、制御盤の中に配置した電気機器の冷却能力を低下させることがない工作機械用制御盤のダクト通風冷却装置を提供できる効果がある。
【図面の簡単な説明】
【図１】  本発明の実施例を示す側断面図である。
【図２】  本発明の実施例を示す正面図である。
【図３】  従来例を示す側断面図である。
【図４】  従来例を示す正面図である。
【符号の説明】
１：工作機械、１１：トータルガード、１２：架台、２：電気機器、２１：インバータ、２１Ａ：ヒートシンク、２２：サーボアンプ、２２Ａ：ヒートシンク、３：制御盤、３１：扉、３２：垂直仕切り板、３３：防塵部、３４：背面板、３５：底板、３６：下部水平仕切り板、３７：天井板、３８：上部水平仕切り板、４：操作パネル、５：通風ダクト、５１：吸気口、５２：排気口、５３：下部ダクト、５４：上部ダクト、５５：垂直ダクト、６：冷却ファン
【図１】
0003653872.tif 000002
【図２】
0003653872.tif 000003
【図３】
0003653872.tif 000004
【図４】
0003653872.tif 000005